(57)【要約】      （修正有）【課題】微細バブルを含む液体試料を、微細バブルに極力物理的障害を与えないように採取して顕微鏡に装着することができ、微細バブルの観察精度を高めることができる微細バブル観察用試料ホルダーを提供する。【解決手段】微細バブル観察用試料ホルダー１は、薄板状の本体ケース２、本体ケース２内に側方へスライド可能に装着されるスライド板３を備え、本体ケース２が、上下１対の透明板１０、１対の透明板１０の間に形成されてスライド板３を装着する為の装着部１３を有し、スライド板３が、液体試料を収容可能に上下貫通状に形成されたセル１５を有し、スライド板３を、セル１５を本体ケース２の外部に開放したセル開放位置とセル１５を１対の透明板１０により密閉したセル密閉位置とに亙ってスライド可能に構成した。【選択図】図３
0003165429.tif 000002
【実用新案登録請求の範囲】
【請求項１】
微細バブルを含む液体試料を収容し顕微鏡で観察する為の微細バブル観察用試料ホルダーにおいて、
薄板状の本体ケースと、この本体ケース内に側方へスライド可能に装着されるスライド板を備え、
前記本体ケースが、上下１対の透明板と、これら１対の透明板の間に形成されて前記スライド板を装着する為の装着部を有し、
前記スライド板が、前記液体試料を収容可能に上下貫通状に形成されたセルを有し、
前記スライド板を、前記セルを本体ケースの外部に開放したセル開放位置と前記セルを１対の透明板により密閉したセル密閉位置とに亙ってスライド可能に構成したことを特徴とする微細バブル観察用試料ホルダー。
【請求項２】
前記１対の透明板に前記セルを本体ケースの外部に開放させる上下１対の開口が形成されたことを特徴とする請求項１に記載の微細バブル観察用試料ホルダー。
【請求項３】
微細バブルを含む液体試料を収容し顕微鏡で観察する為の微細バブル観察用試料ホルダーにおいて、
前記液体試料を収容可能に上下貫通状に形成されたセルを有する薄板状の本体ケースと、この本体ケースにその上下両端面に沿って夫々スライド自在に装着される上下１対の透明板を備え、
前記１対の透明板を、前記セルを本体ケースの外部に開放したセル開放位置と前記セルを密閉したセル密閉位置とに亙ってスライド可能に構成したことを特徴とする微細バブル観察用試料ホルダー。
【請求項４】
微細バブルを含む液体試料を収容し顕微鏡で観察する為の微細バブル観察用試料ホルダーにおいて、
前記液体試料を収容可能に上下貫通状に形成されたセルを有する薄板状の本体ケースと、この本体ケースに夫々回動自在に装着された上下１対の透明板を備え、
前記１対の透明板を、前記セルを本体ケースの外部に開放したセル開放位置と前記セルを密閉したセル密閉位置とに亙って回動可能に構成したことを特徴とする微細バブル観察用試料ホルダー。
【請求項５】
微細バブルを含む液体試料を収容し顕微鏡で観察する為の微細バブル観察用試料ホルダーにおいて、
薄板状の本体ケースと、この本体ケース内に側方へスライド可能に装着されたスライド板を備え、
前記本体ケースが、上透明板と、この上透明板の下側に形成されて前記スライド板を装着する為の装着部を有し、
前記スライド板が、前記液体試料を収容可能に上端開放状に凹形に形成されたセルと、このセルの下側に位置する透明なセル底壁を有し、
前記スライド板を、前記セルをケース本体の外部に開放したセル開放位置と前記セルを上透明板により密閉したセル密閉位置とに亙ってスライド可能に構成したことを特徴とする微細バブル観察用試料ホルダー。
【請求項６】
微細バブルを含む液体試料を収容し顕微鏡で観察する為の微細バブル観察用試料ホルダーにおいて、
前記液体試料を収容可能に下端開放状に凹形に形成されたセルとこのセルの上側に位置する透明なセル上壁を有する薄板状の本体ケースと、前記本体ケースにその下端面に沿ってスライド自在に装着される下透明板を備え、
前記下透明板を、前記セルを本体ケースの外部に開放したセル開放位置と前記セルを密閉したセル密閉位置とに亙ってスライド可能に構成したことを特徴とする微細バブル観察用試料ホルダー。
【考案の詳細な説明】
【技術分野】
【０００１】
本考案は、マイクロバブルやナノバブル等の微細バブルを含む液体試料を収容し顕微鏡で観察する為の微細バブル観察用試料ホルダーに関するものである。
【背景技術】
【０００２】
近年、マイクロバブル（直径が１μｍ〜５０μｍの泡）やナノバブル（直径が１μｍ以下の泡）は、様々な分野で利用可能性が高いものとして注目されている。通常、ナノバブルは、水中においてマイクロバブルが縮小する過程で生成するが、物理的に非常に不安定であるため短時間で消滅する。近年、電解質イオンを含む水中でマイクロバブルを瞬時に圧壊させることで、ナノバブルを製造して安定化させる技術が確立されつつある。
【０００３】
それに伴って、ナノバブルの種々の有用性が立証され或いは期待されている。このナノバブルを含む水は、ナノバブル化された気体の特性を併せ持つものになる。例えば、オゾンをナノバブルとして含む殺菌効果の高い水（オゾン水）を使用できるようになり、酸素をナノバブルとして含む水には、魚介類の環境変化に対する適応性の向上を認めることができる。その他、医療、食品加工、畜産業等の分野での利用も期待できる。
【０００４】
ところで、マイクロバブルやナノバブル（以下、総称して微細バブルと記す）の特性については未解明な部分も多く存在する。それ故、微細バブルに関する技術を研究・開発するうえで、微細バブルの観察が極めて重要になる。一般に、微細バブルの観察については顕微鏡を用いて行うことになり、この場合、微細バブルを含む液体試料をスポイト等で吸引し、その液体試料をスライドガラス上に吐出し、その液体試料をカバーガラスでカバーして観察可能にセットする。
【０００５】
尚、レザーを使用して液体試料に含まれる微細バブルを観察することも行われているが、液体試料内のゴミや塵等の不純物を微細バブルとして誤検知する虞がある。微細バブルを含む液体試料を凍結により凝固させてスライスし、そのスライス面に溶融状樹脂を塗布し硬化させて、その樹脂から微細バブルを観察することも行われているが、非常に煩雑で微細バブルの実際のサイズを測定できない場合が多い。このような微細バブルの観察技術では、上記課題から、また設備コストが高価になり観察内容も限られたものになるため、顕微鏡を用いて液体試料に含まれる微細バブルを観察するのが最適であると考えられる。
【０００６】
ここで、特許文献１には、液体試料を収容し積極的に振動させて顕微鏡で観察する為の試料ホルダーが開示されている。この試料ホルダーは、スライドガラスに載置されたＯリングの内部又は丸皿の内部に液体試料を収容し、その液体試料を振動させるアクチュエータと、この振動が顕微鏡のステージに伝わるのを抑制する緩衝ゴムを備えている。
【０００７】
特許文献２には、液体試料を収容し電気泳動させて顕微鏡で観察する為の技術が開示されている。そのために、スライドガラスの上面に１対の電極が形成され、そのスライドガラスにスペーサが載置されている。スペーサに液体試料を収容可能なセルが上下貫通状に形成され、そのセル（液体試料）の下端が１対の電極の端部に臨んでいる。スペーサの上面にはセルの上端を塞ぐカバーガラスが載置される。
【先行技術文献】
【特許文献】
【０００８】
【特許文献１】特開平１０−１６０７４２号公報
【特許文献２】特開２００４−１４４６３９号公報
【考案の概要】
【考案が解決しようとする課題】
【０００９】
液体試料に含まれる微細バブルを顕微鏡で観察する場合、先ず、液体試料を容器内に存在する状態から採取して、スライドガラス上に観察可能にセットする必要があるが、そこで、液体試料に含まれる微細バブルに物理的な障害（ストレス）を極力与えないようにすることが要求される。しかし、従来の一般的な手法では、液体試料をスポイト等で吸引し吐出するために、その吸引・吐出の際に微細バブルに大きな物理的障害を与えてしまう。
【００１０】
しかも、スライドガラス上の液体試料をカバーガラスでカバーすることでも、微細バブルに物理的障害（圧迫）を与えてしまい、微細バブルがスライドガラスとカバーガラスの間から押し出される虞もある。液体試料をカバーガラスでカバーせずに観察することも考えられるが、顕微鏡では微細バブルを高倍率で観察するため、顕微鏡の微小な振動でも液体試料が揺れて微細バブルを観察することが困難になる。
【００１１】
そこで、本願考案者は、特許文献１の技術のように、スライドガラスに箱状部材（特許文献１ではＯリング）を載置し、その箱状部材に液体試料を収容して観察を試みたが、やはり、顕微鏡の微小な振動でも液体試料が揺れて微細バブルを観察することが困難であった。それを抑えるために、箱状部材の上端をカバーガラスでカバーしたとしても、結局、液体試料を箱状部材に収容するためには、液体試料をスポイト等で吸引し吐出する必要があるために、微細バブルに与える物理的障害を抑制することはできない。特許文献２の技術についても同様の課題がある。
【００１２】
尚、特許文献１の技術は液体試料を積極的に振動させて顕微鏡で観察することを、また、特許文献２の技術は液体試料を電気泳動させて顕微鏡で観察することを夫々目的とし、本考案の前記課題を解決することを目的とするものでない。
【００１３】
本考案の目的は、微細バブルを含む液体試料を、微細バブルに極力物理的障害を与えないように採取して顕微鏡に装着することができ、しかも、顕微鏡に装着した状態で液体試料（微細バブル）が揺れるのを確実に防止して、微細バブルの観察精度を高めることができる微細バブル観察用試料ホルダーを提供することである。
【課題を解決するための手段】
【００１４】
本考案は、微細バブル（マイクロバブルやナノバブル）を含む液体試料を収容し顕微鏡で観察する為の微細バブル観察用試料ホルダーである。この微細バブル観察用試料ホルダーは、液体試料を採取後、その液体試料と共に顕微鏡のステージに装着され、スライドガラス、カバーガラスを使用することなく、液体試料を顕微鏡で観察可能なものである。
【００１５】
請求項１の考案は、薄板状の本体ケースと、この本体ケース内に側方へスライド可能に装着されるスライド板を備え、前記本体ケースが、上下１対の透明板と、これら１対の透明板の間に形成されて前記スライド板を装着する為の装着部を有し、前記スライド板が、前記液体試料を収容可能に上下貫通状に形成されたセルを有し、前記スライド板を、前記セルを本体ケースの外部に開放したセル開放位置と前記セルを１対の透明板により密閉したセル密閉位置とに亙ってスライド可能に構成したことを特徴とする。
【００１６】
請求項２の考案は、請求項１の考案において、前記上下１対の透明板に前記セルを本体ケースの外部に開放させる上下１対の開口が形成されたことを特徴とする。
【００１７】
請求項３の考案は、前記液体試料を収容可能に上下貫通状に形成されたセルを有する薄板状の本体ケースと、この本体ケースにその上下両端面に沿って夫々スライド自在に装着される上下１対の透明板を備え、前記１対の透明板を、前記セルを本体ケースの外部に開放したセル開放位置と前記セルを密閉したセル密閉位置とに亙ってスライド可能に構成したことを特徴とする。
【００１８】
請求項４の考案は、前記液体試料を収容可能に上下貫通状に形成されたセルを有する薄板状の本体ケースと、この本体ケースに夫々回動自在に装着された上下１対の透明板を備え、前記１対の透明板を、前記セルを本体ケースの外部に開放したセル開放位置と前記セルを密閉したセル密閉位置とに亙って回動可能に構成したことを特徴とする。
【００１９】
請求項５の考案は、薄板状の本体ケースと、この本体ケース内に側方へスライド可能に装着されたスライド板を備え、前記本体ケースが、上透明板と、この上透明板の下側に形成されて前記スライド板を装着する為の装着部を有し、前記スライド板が、前記液体試料を収容可能に上端開放状に凹形に形成されたセルと、このセルの下側に位置する透明なセル底壁を有し、前記スライド板を、前記セルをケース本体の外部に開放したセル開放位置と前記セルを上透明板により密閉したセル密閉位置とに亙ってスライド可能に構成したことを特徴とする。
【００２０】
請求項６の考案は、前記液体試料を収容可能に下端開放状に凹形に形成されたセルとこのセルの上側に位置する透明なセル上壁を有する薄板状の本体ケースと、前記本体ケースにその下端面に沿ってスライド自在に装着される下透明板を備え、前記下透明板を、前記セルを本体ケースの外部に開放したセル開放位置と前記セルを密閉したセル密閉位置とに亙ってスライド可能に構成したことを特徴とする。
【考案の効果】
【００２１】
請求項１の微細バブル観察用試料ホルダー（以下、試料ホルダーと記す）によれば、試料ホルダーを容器内の液体試料に漬けた状態で、スライド板をセル開放位置からセル密閉位置へスライドさせて、液体試料に含まれる微細バブルに物理的障害を極力与えないように、液体試料をスライド板のセルに容易に収容し本体ケースの１対の透明板により密閉状に採取でき、その後、試料ホルダーと共に安定した状態で顕微鏡に装着して微細バブルを観察できる。試料ホルダーを顕微鏡に装着した状態で液体試料（微細バブル）が揺れるのも確実に防止できるので、微細バブルの観察精度を高めることができる。
【００２２】
請求項２の試料ホルダーによれば、スライド板を本体ケースから取り外すことなく、セル開放位置とセル密閉位置とに亙ってスライドさせることができ、つまり、液体試料をスライド板のセルに容易に収容して密閉状に採取できる。
【００２３】
請求項３の試料ホルダーによれば、試料ホルダーを容器内の液体試料に漬けた状態で、１対の透明板をセル開放位置からセル密閉位置へスライドさせて、液体試料に含まれる微細バブルに物理的障害を極力与えないように、液体試料を本体ケースのセルに容易に収容し１対の透明板により密閉状に採取できる。その他は請求項１と同様の効果を奏する。また、液体試料を採取する際、上側の透明板をセル密閉位置に下側の透明板をセル開放位置に暫くおいておくことで、浮上する微細バブルを多く採取可能になる。
【００２４】
請求項４の試料ホルダーによれば、試料ホルダーを容器内の液体試料に漬けた状態で、１対の透明板をセル開放位置からセル密閉位置へ回動させて、液体試料に含まれる微細バブルに物理的障害を極力与えないように、液体試料を本体ケースのセルに容易に収容し１対の透明板により密閉状に採取できる。その他は請求項３と同様の効果を奏する。
【００２５】
請求項５の試料ホルダーによれば、試料ホルダーを容器内の液体試料に漬けた状態で、スライド板をセル開放位置からセル密閉位置へスライドさせて、液体試料に含まれる微細バブルに物理的障害を極力与えないように、液体試料をスライド板のセルに容易に収容し上透明板により密閉状に採取できる。その他は請求項１と同様の効果を奏する。
【００２６】
請求項６の試料ホルダーによれば、試料ホルダーを容器内の液体試料に漬けた状態で、下透明板をセル開放位置からセル密閉位置へスライドさせて、液体試料に含まれる微細バブルに物理的障害を極力与えないように、液体試料を本体ケースのセルに容易に収容し下透明板により密閉状に採取できる。その他は請求項１と同様の効果を奏する。また、液体試料を採取する際、下透明板をセル密閉位置に暫くおいておくことで、浮上する微細バブルを多く採取可能になる。
【図面の簡単な説明】
【００２７】
【図１】本考案の試料ホルダーをセットした顕微鏡の斜視図である。
【図２】実施例１の試料ホルダーの平面図である。
【図３】実施例１の試料ホルダーの分解斜視図である。
【図４】実施例１の試料ホルダー（セル開放状態）の斜視図である。
【図５】図４のV −V 線断面図である。
【図６】図４のVI−VI線断面図である。
【図７】実施例１の試料ホルダー（セル密閉状態）の斜視図である。
【図８】図７のVIII−VIII線断面図である。
【図９】実施例２の試料ホルダーの図５相当図である。
【図１０】実施例２の試料ホルダーの図６相当図である。
【図１１】実施例３の試料ホルダーの図８相当図である。
【図１２】実施例３の試料ホルダーの図４相当図である。
【図１３】実施例４の試料ホルダーの図５相当図である。
【図１４】実施例５の試料ホルダーの図５相当図である。
【図１５】実施例６の試料ホルダーの平面図である。
【図１６】実施例６の試料ホルダー（セル開放状態）の斜視図である。
【図１７】実施例６の試料ホルダー（セル半開状態）の斜視図である。
【図１８】実施例６の試料ホルダー（セル密閉状態）の斜視図である。
【図１９】図１８のXIX −XIX 線断面図である。
【図２０】実施例７の試料ホルダーの図１９相当図である。
【図２１】実施例８の試料ホルダーの平面図である。
【図２２】図２１のXXII−XXII線断面図である。
【図２３】図２１のXXIII −XXIII 線断面図である。
【図２４】実施例８の試料ホルダー（半開状態）の斜視図である。
【考案を実施するための形態】
【００２８】
本考案の微細バブル観察用試料ホルダー（以下、試料ホルダーと記す）は、マイクロバブルやナノバブル（以下、微細バブルと記す）を含む液体試料を収容し顕微鏡で観察する為のものであり、容器内の液体試料に漬けて液体試料を採取でき、その液体試料を収容した状態で顕微鏡のステージに着脱可能に装着して、別途スライドガラス、カバーガラスを使用することなく、そのまま顕微鏡で微細バブルを観察できるものである。
【実施例１】
【００２９】
図１は、電子顕微鏡Ｓと電子顕微鏡Ｓに装着された本案特有の試料ホルダー１を示している。電子顕微鏡Ｓは、対物レンズＳａとステージＳｂの他に照明等を備えた一般的なもので、ステージＳｂに試料ホルダー１が着脱可能に載置状に装着される。この状態で、観察者は、試料ホルダー１に収容された液体試料に含まれる微細バブルをレンズを介して直接見て、或いはディスプレイに表示させそれを見て観察できる。以下、図１〜図３に矢印で示す上方・前方・左方を上方・前方・左方として、試料ホルダー１について説明する。
【００３０】
図２〜図８に示すように、試料ホルダー１は、左右方向に長い平面視矩形で且つ薄板状の本体ケース２と、本体ケース２内に側方（左右方向）へスライド可能に装着される左右方向に長い矩形のスライド板３を備えている。例えば、本体ケース２の前後長×左右長は約２６mm×７６mmであり、スライド板３の前後長×左右長は約２１mm×８０mmである。
【００３１】
本体ケース２は、上下の壁を形成する上下１対の透明板１０と、前後の壁を形成する前後１対の側壁部材１１と、左壁を形成する側壁部材１２と、１対の透明板１０及び１対の側壁部材１１の間に右端開放状に形成されてスライド板３を装着する為の装着部１３を有する。スライド板３は液体試料を収容可能に上下貫通状に形成されたセル１５を有する。
【００３２】
試料ホルダー１は、スライド板３を、セル１５を本体ケース２の外部に開放したセル開放位置（図４〜図６参照）とセル１５を１対の透明板１０により密閉したセル密閉位置（図７、図８参照）とに亙ってスライド可能に構成されている。
【００３３】
本体ケース２の１対の透明板１０は、夫々、アクリル樹脂（或いはガラス）で例えば厚さ約１mmの矩形平板状に形成され、１対の側壁部材１１と側壁部材１２は、夫々、合成樹脂で例えば上下厚さ約３mmの矩形断面の角棒状に形成されている。１対の側壁部材１１と側壁部材１２は上側の透明板１０の下面と下側の透明板１０の上面に接着剤等で固着されている。スライド板３は装着部１３に装着され、１対の透明板１０及び１対の側壁部材１１により左右方向へ摺動自在にガイド支持される。
【００３４】
１対の透明板１０にはスライド板３のセル１５を本体ケース３の外部に開放させる上下１対の開口１４が形成されている。１対の開口１４は、夫々、スライド板３の右部に矩形に形成され、例えば、その前後長×左右長は約１５mm×２５mmである。
【００３５】
スライド板３は、合成樹脂で例えば上下厚さ約３mmに形成されている。スライド板３のセル１５はスライド板３の左部に平面視矩形に形成され、例えば、その前後長×左右長は透明板１０の開口１４と同じ約１５mm×２５mmである。スライド板３の右端部には、スライド板３をスライドさせるために把持可能な操作摘み１６が、スライド板３の前後長全長に亙って上方凸に形成されている。
【００３６】
スライド板３が本体ケース２の装着部１３に装着され、本体ケース２の側壁部材１２に当接した状態で、セル１５が１対の開口１４よりも左方に位置して、スライド板３がセル密閉位置になる。つまり、スライド板３をセル密閉位置に容易に位置決めでき、この状態で、本体ケース２とスライド板３とを安定させることができる。また、スライド板３を本体ケース２の装着部１３から完全に取外すことなく、セル１５と１対の開口１４の左右方向位置が一致して、スライド板３がセル開放位置になる。
【００３７】
この試料ホルダー１によれば次の作用・効果を奏する。
液体試料に含まれる微細バブルを顕微鏡Ｓで観察する場合、先ず、スライド板３をセル開放位置にし、試料ホルダー１を容器内の液体試料に漬けて、或いは、スライド板３をセル密閉位置にし、試料ホルダー１を容器内の液体試料に漬けてからスライド板３をセル密閉位置からセル開放位置にスライドさせて、スライド板３のセル１５に液体試料を収容する。次に、スライド板３をセル開放位置からセル密閉位置にスライドさせて、スライド板３のセル１５に収容された液体試料を１対の透明板１０により密閉状態にし、その後、試料ホルダー１を顕微鏡ＳのステージＳｂに載置する。
【００３８】
つまり、試料ホルダー１を容器内の液体試料に漬けた状態で、スライド板３をセル開放位置からセル密閉位置へスライドさせて、液体試料に含まれる微細バブルに物理的障害を極力与えないように、液体試料をスライド板３のセル１５に容易に収容し本体ケース２の１対の透明板１０により密閉状に採取でき、その後、試料ホルダー１と共に安定した状態で顕微鏡Ｓに装着して微細バブルを観察できる。試料ホルダー１を顕微鏡Ｓに装着した状態で液体試料（微細バブル）が揺れるのも確実に防止できるので、微細バブルの観察精度を高めることができる。
【００３９】
１対の透明板１０にセル１５を本体ケース２の外部に開放させる上下１対の開口１４を形成したので、スライド板３を本体ケース２から取り外すことなく、セル開放位置とセル密閉位置とに亙ってスライドさせることができ、つまり、液体試料をスライド板３のセル１４に容易に収容して密閉状に採取できる。
【００４０】
次に、別実施例について説明する。但し、前記実施例と基本的に同じものに同一符号を付して説明を省略する。
【実施例２】
【００４１】
図９、図１０に示すように、実施例２の試料ホルダー１Ａは、実施例１の試料ホルダー１と類似する構成であり、左右方向に長い平面視矩形で且つ薄板状の本体ケース２Ａと、本体ケース２Ａ内に左右方向（側方）へスライド可能に装着される左右方向に長い矩形のスライド板３Ａを備えている。
【００４２】
本体ケース２Ａは、上壁を形成する上透明板１０Ａと、前後の壁を形成する前後１対の側壁部材１１と、左壁を形成する側壁部材１２と、上透明板１０Ａの下側且つ１対の側壁部材１１の間に右端且つ下端開放状に形成されてスライド板３Ａを装着する為の装着部１３Ａと、前後１対の下ガイド板２０を有する。実施例１の下側の透明板１０は省略されている。スライド板３Ａは、液体試料を収容可能に上端開放状に凹形に形成されたセル１５Ａと、セル１５Ａの下側に位置する透明なセル底壁１５Ａａを有する。
【００４３】
試料ホルダー１Ａは、スライド板３Ａを、セル１５Ａを本体ケース２Ａの外部に開放したセル開放位置（図示略）とセル１５Ａを上透明板１０Ａにより密閉したセル密閉位置（図９参照）とに亙ってスライド可能に構成されている。
【００４４】
上透明板１０Ａは、実施例１の上側の透明板１０と同様のものであり、開口１４を有する。本体ケース２の１対の下ガイド板２０は、夫々、合成樹脂で左右方向に延びる帯板状に形成され、１対の側壁部材１１よりも前後方向内側へ突出して、１対の側壁部材１１の下面に接着剤等で固着されている。スライド板３Ａは装着部１３Ａに装着され、上透明板１０Ａ及び１対の側壁部材１１及び１対の下ガイド板２０により左右方向へ摺動自在にガイド支持される。スライド板３Ａは、アクリル樹脂で例えば上下厚さ約３mmに透明に形成され、これにより、セル１５Ａの下側に透明なセル底壁１５Ａａを形成している。
【００４５】
この試料ホルダー１Ａによれば、試料ホルダー１Ａを容器内の液体試料に漬けた状態で、スライド板３Ａをセル開放位置からセル密閉位置へスライドさせて、液体試料に含まれる微細バブルに物理的障害を極力与えないように、液体試料をスライド板３Ａのセル１５Ａに容易に収容し上透明板１０Ａにより密閉状に採取できる。その他は実施例１と同様の作用・効果を奏する。
【実施例３】
【００４６】
図１１に示すように、実施例３の試料ホルダー１Ｂは、実施例１の試料ホルダー１と基本的に同じ本体ケース２Ｂ、スライド板３を備えるとともに、更に、スライド板３をセル開放位置とセル密閉位置とに亙ってスライドさせる際、本体ケース２Ｂの装着部１３内における側壁部材１２Ｂとスライド板３との隙間から外部への流体を流出させたり同隙間に外部から流体を流入させたりする流体出入口２１（呼吸孔２１）を備えたものである。
【００４７】
流体出入口２１は、本体ケース２Ｂの側壁部材１２Ｂと透明板１０Ｂの左端部に形成されている。尚、流体出入口２１を、本体ケース２Ｂの側壁部材１２Ｂと透明板１０Ｂの左端部の一方にのみ、或いは、上側の透明板１０の左端部にのみ形成してもよい。図１２に示す試料ホルダー１Ｂでは、本体ケース２Ｂの側壁部材１２Ｂの前後方向中央部分に流体出入口２１が形成されている。この流体出入口２１により、液体試料を採取する際、前記隙間内の流体がセル１５に収容した液体試料に物理的障害を与えることなく、スライド板３をセル開放位置とセル密閉位置とに亙って円滑にスライドさせることができる。
【００４８】
スライド板３がセル開放位置にある状態で、前記隙間に空気が存在する場合、流体出入口２１を設けていない場合には、スライド板３をセル開放位置からセル密閉位置にスライドさせると、前記隙間内の空気は本体ケース２Ｂとスライド板３の間を通って外部へ流出するが、その空気の一部がセル１５内に入り込み、セル１５に充満していた液体試料の一部を外部へ逃してしまう虞がある。流体出入口２１を備えた試料ホルダー１Ｂでは、この問題点を確実に改善できる。
【実施例４】
【００４９】
図１３に示すように、実施例４の試料ホルダー１Ｃは、実施例１の試料ホルダー１と基本的に同じ本体ケース２Ｃ、スライド板３Ｃを備えるとともに、更に、スライド板３Ｃを本体ケース２Ｃの装着部１３に装着した状態で、この装着部１３からスライド板３が抜け落ちるのを防止する抜止機構２２を備えている。
【００５０】
抜止機構２２は、スライド板３Ｃの上面部に形成された左右方向に細長い係合溝２３と、係合溝２３に摺動自在に係合するように本体ケース２Ｃの上側の透明板１０Ｃの右端部に下方突出状に形成された係合突起部２４とを有する。係合突起部２４が係合溝２３の左端部に係合すると、それ以上はスライド板３Ｃが右方へスライドしなくなり、ここで、スライド板３Ｃがセル開放位置になる。つまり、スライド板３Ｃをセル開放位置に容易に位置決めできる効果もあり、試料ホルダー１Ｃの操作性を高めることができる。
【実施例５】
【００５１】
図１４に示すように、実施例５の試料ホルダー１Ｄは、実施例１と同様の本体ケース２及びスライド板３と、更に、本体ケース２に着脱自在に装着され装着状態で上側の開口１４（セル１５の上端）を閉塞する合成樹脂製のカバー部材２５を備えている。カバー部材２５は、平板部２５ａと平板部２５ａよりも下方へ突出する蓋部２５ｂとを有する。
【００５２】
平板部２５ａは平面視にて本体ケース２と略同形同サイズに形成され、蓋部２５ｂは開口１４と略同形同サイズに形成されている。平板部２５ａが本体ケース２の上面に当接され、蓋部２５ｂが上側の開口１４に嵌合され、ここで、蓋部２５ｂの下端はセル１５よりも上方に位置する。この状態がカバー部材２５の本体ケース２への装着状態である。
【００５３】
この試料ホルダー１Ｄによれば、カバー部材２５を未装着状態で、実施例１の試料ホルダー１と同様、セル１５に液体試料を収容する。その後、カバー部材２５を本体ケース２に装着し、暫くおいておくことで、浮上する微細バブルを多く採取可能になる。その後、スライド板３をセル開放位置からセル密閉位置にスライドさせてから、カバー部材２５を本体ケース２から取り外す。これにより、採取した微細バブルを極力逃さないようにすることができる。
【実施例６】
【００５４】
図１５〜図１９に示すように、実施例６の試料ホルダー１Ｅは、左右方向に長い平面視矩形で且つ液体試料を収容可能に上下貫通状に形成されたセル３０を有する薄板状の本体ケース４と、本体ケース４にその上下両端面に沿って夫々左右方向へスライド自在に装着される上下１対の透明板５を備えている。例えば、本体ケース４及び透明板５の前後長×左右長は約３０mm×１００mmであり、セル３０の前後長×左右長は約２４mm×６０mmである。
【００５５】
試料ホルダー１Ｅは、１対の透明板５を、セル３０を本体ケース４の外部に開放（全開）したセル開放位置（図１６参照）と、セル３０を本体ケース４の外部に半開したセル半開位置（図１７参照）と、セル３０を密閉したセル密閉位置（図１８参照）とに亙ってスライド可能（位置切換え可能）に構成されている。
【００５６】
本体ケース４は、前後１対の側壁部材３１と左右１対の側壁部材３２，３３を有し、これら側壁部材３１〜３３が矩形枠を形成し、それらの内側に平面視矩形のセル３０が形成されている。１対の側壁部材３１と１対の側壁部材３２，３３は、夫々、合成樹脂で例えば上下厚さ約３mmに形成されている。
【００５７】
また、本体ケース４は、前後１対の上スペーサ部材３４と、前後１対の下スペーサ部材３５と、前後１対の上ガイド板３６と、前後１対の下ガイド板３７を有し、スペーサ部材３４，３５は、夫々、合成樹脂で左右方向に延びる例えば厚さ約１mmの帯板状に形成され、ガイド板３６，３７は、夫々、合成樹脂でスペーサ部材３４，３５よりも幅広で左右方向に延びる例えば厚さ約１mmの帯板状に形成されている。
【００５８】
側壁部材３１〜３３の前後両端縁に沿って、側壁部材３１〜３３の上面に１対の上スペーサ部材３４が接着剤等で固着され、１対の上スペーサ部材３４の上面に１対の上ガイド板３６が接着剤等で固着され、側壁部材３１〜３３の下面に１対の下スペーサ部材３５が接着剤等で固着され、１対の下スペーサ部材３５の下面に１対の下ガイド板３７が接着剤等で固着されている。
【００５９】
１対の透明板５は、夫々、アクリル樹脂（或いはガラス）で例えば厚さ約１mmの矩形平板状に形成されている。上側の透明板５は、側壁部材３１〜３３と上ガイド板３６の間に摺動自在に係合し、下側透明板５は側壁部材３１〜３３と下ガイド板３７の間に摺動自在に係合し、夫々、左右方向へ移動自在にガイド支持される。
【００６０】
この試料ホルダー１Ｅによれば、試料ホルダー１Ｅを容器内の液体試料に漬けた状態で、１対の透明板５をセル開放位置からセル密閉位置へスライドさせて、液体試料に含まれる微細バブルに物理的障害を極力与えないように、液体試料を本体ケース４のセル３０に容易に収容し１対の透明板５により密閉状に採取できる。その他は実施例１と同様の効果を奏する。また、液体試料を採取する際、上側の透明板５をセル密閉位置に下側の透明板５をセル開放位置に暫くおいておくことで（図１７参照）、浮上する微細バブルを多く採取可能になる。尚、この試料ホルダー１Ｅは、実施例１の試料ホルダー１よりも大量の液体試料を採取するのに適している。
【実施例７】
【００６１】
図２０に示すように、実施例７の試料ホルダー１Ｆは、実施例６の試料ホルダー１Ｅと類似する構成であり、左右方向に長い平面視矩形で且つ液体試料を収容可能に下端開放状に凹形に形成されたセル３０Ｆとこのセル３０Ｆの上側に位置する透明なセル上壁３０Ｆａを有する薄板状の本体ケース４Ｆと、本体ケース４Ｆにその下端面に沿って左右方向へスライド自在に装着される下透明板５Ｆを備えている。
【００６２】
この試料ホルダー１Ｆは、実施例６の試料ホルダー１Ｄの１対の上スペーサ部材３４及び１対の上ガイド板３６を省略し、上側の透明板５は、側壁部材３１〜３３の上面に接着剤等で固着され、この透明板５が透明なセル上壁３０Ｆａを形成している。
【００６３】
この試料ホルダー１Ｆによれば、試料ホルダー１Ｆを容器内の液体試料に漬けた状態で、下透明板５Ｆをセル開放位置からセル密閉位置へスライドさせて、液体試料に含まれる微細バブルに物理的障害を極力与えないように、液体試料を本体ケース４Ｆのセル３０Ｆに容易に収容し下透明板５Ｆにより密閉状に採取できる。その他は実施例１と同様の効果を奏する。また、液体試料を採取する際、下透明板５Ｆをセル密閉位置に暫くおいておくことで、浮上する微細バブルを多く採取可能になる。
【実施例８】
【００６４】
図２１〜図２４に示すように、実施例８の試料ホルダー１Ｇは、左右方向に長い平面視矩形で且つ液体試料を収容可能に上下貫通状に形成されたセル４０を有する薄板状の本体ケース６と、本体ケース６に夫々回動自在に装着された上下１対の透明板７，８を備えている。例えば、本体ケース６の前後長×左右長は約３５mm×１００mmであり、セル３０の前後長×左右長は約２０mm×７０mmである。
【００６５】
試料ホルダー１Ｇは、１対の透明板７，８を、セル４０を本体ケース６の外部に開放（全開）したセル開放位置（図示略）と、セル４０を本体ケース６の外部に半開したセル半開位置（図２４参照）と、セル４０を密閉したセル密閉位置（図２２等参照）とに亙って回動可能（位置切換え可能）に構成されている。
【００６６】
本体ケース６は合成樹脂で例えば上下厚さ約４mmに形成され、本体ケース６の上面側部分には、上側の透明板７が嵌合装着される装着凹部６ａが形成されている。１対の透明板７，８は、夫々、アクリル樹脂で例えば厚さ約１mmの矩形平板状に形成され、上側の透明板７は装着凹部６ａに装着可能なサイズに、下側の透明板８は本体ケース６の下面と略同サイズに形成されている。
【００６７】
１対の透明板７，８の右端部が、本体ケース６の右端部分に切欠き形成された切欠部６ｂに挿入されて上下に位置し、夫々、前後方向の軸７ａ，８ａを介して、本体ケース６の切欠部６ｂの前後両側に位置する部分に回動自在に支持されている。
【００６８】
この試料ホルダー１Ｇによれば、試料ホルダー１Ｇを容器内の液体試料に漬けた状態で、１対の透明板７，８をセル開放位置からセル密閉位置へ回動させて、液体試料に含まれる微細バブルに物理的障害を極力与えないように、液体試料を本体ケース６のセル４０に容易に収容し１対の透明板７，８により密閉状に採取できる。その他は実施例６と同様の効果を奏する。
【００６９】
その他、本考案の趣旨を逸脱しない範囲において、前記開示事項以外の種々の変更を付加して実施可能である。例えば、試料ホルダーの各部材の材質、形状、サイズについては適宜変更可能である。また、本考案は、微細バブルを含む液体試料を観察可能に種々の顕微鏡に使用できるように構成することができる。
【符号の説明】
【００７０】
Ｓ  顕微鏡
１，１Ａ，１Ｂ，１Ｃ，１Ｄ，１Ｅ，１Ｆ，１Ｇ  試料ホルダー
２，２Ａ，２Ｂ，２Ｃ，４，４Ｆ，６  本体ケース
３，３Ａ，３Ｃ  スライド板
５，７，８，１０，１０Ｂ，１０Ｃ  透明板
５Ｆ  下透明板
１０Ａ  上透明板
１３，１３Ａ  装着部
１４  開口
１５，１５Ａ，３０，４０  セル
【図１】
0003165429.tif 000003
【図２】
0003165429.tif 000004
【図３】
0003165429.tif 000005
【図４】
0003165429.tif 000006
【図５】
0003165429.tif 000007
【図６】
0003165429.tif 000008
【図７】
0003165429.tif 000009
【図８】
0003165429.tif 000010
【図９】
0003165429.tif 000011
【図１０】
0003165429.tif 000012
【図１１】
0003165429.tif 000013
【図１２】
0003165429.tif 000014
【図１３】
0003165429.tif 000015
【図１４】
0003165429.tif 000016
【図１５】
0003165429.tif 000017
【図１６】
0003165429.tif 000018
【図１７】
0003165429.tif 000019
【図１８】
0003165429.tif 000020
【図１９】
0003165429.tif 000021
【図２０】
0003165429.tif 000022
【図２１】
0003165429.tif 000023
【図２２】
0003165429.tif 000024
【図２３】
0003165429.tif 000025
【図２４】
0003165429.tif 000026